(57)【要約】【課題】本発明は、排水の水滴が建物内に浸入するのを効果的に防止できる排水具用付属具および排水具を提供することを目的とするものである。【解決手段】本発明の排水具用付属具は、建物の壁面に対して横向きに貫通して配置される排水管を備えた排水具に取り付けられる付属具であって、排水が排水管の下面をつたって建物側に流れるのを阻止する阻止部を備えている。また、本発明の排水具は、建物の壁面に対して横向きに貫通して配置される排水管を備えた排水具であって、排水が排水管の下面をつたって建物側に流れるのを阻止する阻止部が、排水管に一体形成されている。【選択図】  図１
2004285634.tif 000002
【特許請求の範囲】
【請求項１】
建物の壁面に対してほぼ直交する方向に貫通して配置される排水管を備えた排水具に取り付けられる付属具であって、排水が排水管の下面をつたって建物側に流れるのを阻止する阻止部を備えていることを特徴とする排水具用付属具。
【請求項２】
建物の壁面に対してほぼ直交する方向に貫通して配置される排水管を備えた排水具であって、排水が排水管の下面をつたって建物側に流れるのを阻止する阻止部が、排水管に一体形成されていることを特徴とする排水具。
【発明の詳細な説明】
【０００１】
【発明の属する技術分野】
本発明は、建物の壁面に対してほぼ直交する方向に貫通して配置される排水管を備えた排水具に取り付けられる付属具および当該排水具に関するものである。
【０００２】
【従来の技術】
本願発明者は、図７に示すように、ベランダ等の陸屋根の床面Ｘと外壁Ｙとが交叉するコーナ部に設置される排水具２を提案している（例えば、特許文献１参照。）。この排水具２は、排水管７を備えたもので、この排水管７を外壁Ｙに設けた貫通孔Ｚに挿嵌して、この排水管７の先端の排水口６を外壁Ｙの外側に配置した状態で設置される。
【０００３】
【特許文献１】
特開平２００２−３８６６５号公報
【０００４】
【発明が解決しようとする課題】
しかしながら、上記の排水具２は、排水管７を単に径方向に切断して排水口６が設けられていることから、その排水口６から流下する排水の水切れが悪く、図７に示すように、水滴Ｗが排水口６から排水管７の下面側に回り込みやすい。そして、排水管７の下面側に回り込んだ水滴Ｗは、風等の影響を受けても滴下せず、排水管７の下面側をつたって建物の外壁Ｙ側に移動して、排水管７と外壁Ｙとの隙間に浸入し、外壁Ｙや建物内部に使用されている木材等の建材を腐らせ、変色や雨漏りを発生させ、建物の寿命を短かくしてしまう。
【０００５】
本発明は、上記問題点に鑑みて提案されたものであって、排水の水滴が建物内に浸入するのを効果的に防止できる排水具用付属具および排水具を提供することを目的とするものである。
【０００６】
【課題を解決するための手段】
以上の目的を達成するために、請求項１記載の発明の排水具用付属具は、
建物の壁面に対してほぼ直交する方向に貫通して配置される排水管を備えた排水具に取り付けられる付属具であって、排水が排水管の下面をつたって建物側に流れるのを阻止する阻止部を備えていることを特徴とするものである。
また、請求項２記載の発明の排水具は、建物の壁面に対してほぼ直交する方向に貫通して配置される排水管を備えた排水具であって、排水が排水管の下面をつたって建物側に流れるのを阻止する阻止部が、排水管に一体形成されていることを特徴とするものである。
【０００７】
【発明の実施の形態】
以下に、請求項１に係る発明の第１の実施の形態について、詳細に説明する。
【０００８】
本実施形態の排水具用付属具１ａは、図１に示すように、建物の壁面に対してほぼ直交する方向に貫通して配置される既設の排水具２に取り付けられるものである。
【０００９】
排水具２は、例えばポリエステル樹脂とガラス繊維とから成るＦＲＰで成型されており、図２に示すように、ベランダの床面Ｘ上に配置される床面当接部３と、床面当接部３の前縁から直立し、外壁Ｙのベランダ側の面に配置される壁面当接部４と、壁面当接部４に連設される排水管７を備えている。
排水管７は、壁面当接部４側に集水口５を有するとともに、遊端部側に排水口６を備えている。また、排水管７およびこの排水管７内の排水路７１は、集水口５側から排水口６側に向かって、やや先細に形成されている。
排水具２は、図２に示すように、ベランダ等の陸屋根の床面Ｘと外壁Ｙとが交叉するコーナ部に設置される。つまり、排水具２は、コーナ部の外壁Ｙにあらかじめ設けられた貫通孔Ｚに排水管７を挿嵌して、排水管７の先端の排水口６を外壁Ｙの外側に配置し、床面当接部３を床面Ｘに、壁面当接部４を外壁Ｙのベランダ側の面にそれぞれ当接させた状態で固定される。
【００１０】
排水具用付属具１ａは、排水具２と同じ材質で成型されており、図３に示すように、排水管７における排水口６側の開口端の外径よりも１回り大径で、排水管７の排水口６に嵌合可能な筒部８と、筒部８に一体に形成された阻止部９とを備えている。阻止部９は、図１，図３に示すように、先細の舌片状で、筒部８の一端開口側の開口端部から斜め下方に向かって延設されている。
【００１１】
排水具用付属具１ａは、上記のように、ベランダ等の陸屋根のコーナ部に設置された排水具２の先端部分に一体に取り付けられる。具体的には、阻止部９を排水管７の下方に配置した状態で、筒部８を排水口６側の外周面に嵌着させる。
【００１２】
以上のように、本実施の形態の排水具用付属具１ａは、先端部に阻止部９が形成されているので、排水管７内を通ってきた排水は、阻止部９をつたって流下するが、阻止部９は、排水管７の下方に配置されているため、阻止部９に残った水滴Ｗ２が、阻止部９の下面側に回り込むことがない。したがって、水滴Ｗ２が、排水管７の下面をつたって建物側に移動することがないので、水滴Ｗ２が、排水具２と外壁Ｙとの隙間に浸入して、雨漏りするとか、外壁や建物に使用されている木材等の建材を腐らせるなどの心配がなく、長期間快適に建物を使用することができる。
また、排水具用付属具１ａは、既設の排水具２に後付けすることができるので、既設の排水具２を取り替える必要がなく、有効利用することができる。
さらに、工事が非常に容易で時間もかからないので、工事費を抑えることもできる。
【００１３】
次に、本発明に係る排水具用付属具の第２の実施形態について説明する。
本実施形態の排水具用付属具１ｂは、図４に示すように、排水具２の外周面の一部に沿うように幅方向に湾曲させてなる湾曲部１０と、湾曲部１０の一端側の中央部分に形成された阻止部１１と、阻止部１１の両側に配置され、湾曲部１０側に折り返すように形成される一対の係止部１２，１２とを備えたものである。阻止部１１は、先細の舌片状で、湾曲部１０の一端側から斜め下方に向かって延設されている。
【００１４】
排水具用付属具１ｂを排水具２に取り付ける際には、図４、図５に示すように、湾曲部１０と係止部１２，１２とで、排水管７の排水口６側における開口端部を挟持する。
【００１５】
排水具用付属具１ｂによれば、排水管７の排水口６側における開口端部の一部を挟持するものであるので、ワンタッチで簡単に取り付けることができる。また、排水具用付属具１ｂは可撓性を有しているので、湾曲部１０に多少寸法誤差がある場合でも、湾曲部１０のたわみを利用して排水管７に取り付けることができる。
【００１６】
次に、請求項２にかかる排水具の実施の形態について説明する。本実施形態の排水具２ｂは、ポリエステル樹脂とガラス繊維とから成るＦＲＰで成型されたものであり、図６に示すように、排水口６の下端部分に斜め下方に向かって、先細の舌片状に形成された阻止部１３が延設されている。
【００１７】
排水具２ｂは、阻止部１３を一体に備えているので、排水管７と阻止部１３との連続部分に段差がなく、雨水やゴミなどが溜まりにくい。
【００１８】
なお、上述した実施の形態においては、排水管７の形状を丸筒型としたが、排水管７の形状はこれに限定されず、例えば角筒型でもよい。なお、角筒型の場合は、排水具用付属具１ａの筒部８、および排水具用付属具１ｂの湾曲部１０の形状を何れも角筒形状に沿う形状に形成すればよい。
【００１９】
また、排水具用付属具１ａの筒部８は、排水管７の外周面に嵌着するものに限られず、筒部８の外径を排水管７における排水口６側の開口端の内径よりも１回り小径に形成して、排水管７の内周面に嵌着してもよい。
【００２０】
また、排水具用付属具１ａ，１ｂおよび排水具２，排水具２ｂの材質は、ＦＲＰに限られず、耐候性を有する合成樹脂製であってもよいし、さらに金属製であってもよい。
【００２１】
【発明の効果】
本発明の排水具用付属具は、建物の壁面に対してほぼ直交する方向に貫通して配置される排水管を備えた排水具に取り付けられる付属具であって、排水が排水管の下面をつたって建物側に流れるのを阻止する阻止部を備えているので、
排水管内を通ってきた雨水等の排水が、排水管の下面側に回り込んで排水管の下面をつたって建物の壁面に移動するのを効果的に阻止することができる。したがって、排水の水滴が、排水管と外壁との隙間に浸入して、雨漏りを引き起こすとか、外壁や建物に使用されている木材等の建材を腐らせるなどの心配がなく、長期間快適に建物を使用することができる。また、排水具用付属具は、既設の排水具に後付けすることができるので、既設の排水具を有効利用することができる。
【００２２】
また、請求項２に記載の排水具は、建物の壁面に対してほぼ直交する方向に貫通して配置される排水管を備えた排水具であって、排水が排水管の下面をつたって建物側に流れるのを阻止する阻止部が、排水管に一体形成されているので、請求項１に記載の発明の効果に加えて、特に排水具を新規に設置する場合に適している。
【図面の簡単な説明】
【図１】請求項１に係る発明の第１の実施形態の排水具用付属具の使用方法を示す説明図。
【図２】図１における排水具用付属具および排水具の設置状態を示す縦断面図。
【図３】図２における排水具用付属具を取り付けた状態を示す拡大断面図。
【図４】請求項１に係る発明の第２の実施形態の排水具用付属具の斜視図。
【図５】図４におけるＡ−Ａ線拡大断面図。
【図６】請求項２に係る発明の実施形態の排水具の斜視図。
【図７】従来の排水具の設置状態を示す縦断面図。
【符号の説明】
１ａ，１ｂ      排水具用付属具
２，２ｂ        排水具
７              排水管
９，１１，１３  阻止部
【図１】
2004285634.tif 000003
【図２】
2004285634.tif 000004
【図３】
2004285634.tif 000005
【図４】
2004285634.tif 000006
【図５】
2004285634.tif 000007
【図６】
2004285634.tif 000008
【図７】
2004285634.tif 000009